(57)【要約】【課題】簡単な構成、手段で血液、硫酸や硝酸等薬液などの治療や実験具に使用しながら連続的に液体温度を調節する装置やそのシステムを提供する。【解決手段】本発明に係る液体温度調節機Ａは、電圧を印加すると一方の素子面１０ａが冷却又は加熱し、かつ他方の素子面１０ｂが逆作用するサーモモジュール１０と、該サーモモジュール１０の一方面１０ｂに固定した略矩形体の熱交換器手段１５と、該サーモモジュール１０の他方面１０ｂに固定した放熱器１３とを備えた構成に於いて、前記略矩形体の熱交換器手段１５が液体１４を流送する柔軟性チューブ１７を曲折状に埋設・配備した本体部１５Ａと該本体部１５Ａの上面に開閉自在に覆設した断熱部材でなる蓋部１５Ｂで構成される。１１は前記サーモモジュール１０の端子に印加される電圧源であり、リード線１２、１２を介して所定の直流電圧を印加する。【選択図】図１
2007151696.tif 000002
【特許請求の範囲】
【請求項１】
電圧を印加すると一方の素子面が冷却又は加熱し、かつ他方の素子面が逆作用するサーモモジュールと、該サーモモジュールの一方面に固定した略矩形体の熱交換器手段と、該サーモモジュールの他方面に固定した放熱器とを備えた構成に於いて、前記略矩形体の熱交換器手段が液体を流送する柔軟性チューブを曲折状に埋設・配備した本体部と該本体部上面に開閉自在に覆設した断熱部材でなる蓋部でなることを特徴とする液体温度調節機。
【請求項２】
前記略矩形体の熱交換器手段に於いて、本体部の上面に断面Ｖ字状又は断面Ｕ字状の溝を形成し、該溝内に前記柔軟性チューブを係脱自在に埋設・配備したことを特徴とする請求項１記載の液体温度調節機。
【請求項３】
前記柔軟性チューブが渦巻き状又は螺旋状に前記熱交換器手段の本体部の上面に配置したことを特徴とする請求項２記載の液体温度調節機。
【請求項４】
電源と、該電源に接続されかつ前記請求項１記載の液体温度調節機を駆動するサーモモジュール駆動手段と、前記請求項１記載の液体温度調節機の柔軟性チューブ内を流送する液体の温度を検出する入力側及び出力側の温度検出手段と、前記請求項１記載の液体温度調節機の入力側に配備され流体を圧送するポンプ駆動手段と、該ポンプ駆動手段へ液体を流送・貯留する入力側タンク手段と、請求項１記載の液体温度調節機からの液体を貯留する出力側タンク手段と、前記サーモモジュール駆動手段、前記入力側及び出力側の温度検出手段及び前記ポンプ駆動手段を制御し電源に接続されたＣＰＵとを備えたことを特徴とする液体温度調節システム。
【発明の詳細な説明】
【技術分野】
【０００１】
本発明は、人工透析器、血液循環器又は科学薬品実験器等に用いられる血液等の液体温度調節機及び液体温度調節システムに関する。
【背景技術】
【０００２】
従来、この種の技術としては、一例として図６に示すような被冷却加熱対象物の温度調節装置がある。
これについて説明すれば、１は電源に接続されるリード線２を接続した熱電素子等でなる公知のサーモモジュールである。該サーモモジュール１は一方の素子面１ａと他方の素子面１ｂを備え、電源からの電圧を印加すると該一方の素子面１ａが冷却し又は加熱する。そして、他方の素子面１ｂがこれとは逆の作用をする。
【０００３】
前記サーモモジュール１の一方の素子面１ａ又は他方の素子面１ｂには、熱伝導良く固定した放熱フィン３ａを備えた放熱部材３を有している。前記サーモモジュール１の他方の素子面１ｂ又は一方の素子面１ａには熱交換器４を固定し、配備している。該熱交換器４はその出口側４ａを一方及び他方の断熱チューブ５ａ、５ｂを介して断熱材容器６に接続している。該一方の断熱チューブ５ａは熱交換器４から直接に該断熱材容器６に連結し、該他方の断熱チューブ５ｂはポンプ手段７を介して、該断熱材容器６に連結している。この断熱チューブ５ａ、５ｂは冷却又は加熱媒体としての空気等の気体若しくは水等の液体を前記熱交換器４内から前記断熱材容器６内に循環流送し、この断熱材容器６に挿置された液体等を充填した被冷却加熱対象物収容容器８を冷却又は加熱するものである。
尚、図中、９はファンである。
【０００４】
また、従来の技術に於ける他の例としては、実公昭４４−９０９８号公報に開示された冷却加熱装置の技術がある。
これについて説明すれば、熱電支持板で構成されたもので、熱交換媒体（例えば水）を流入、排出するように接合管を上部に設けた多角形楔状の内部熱交換器の各斜面へ該熱電支持板の負側面が熱伝導的に密着されている。外部熱交換容器は上記熱電支持板の密接面の反対にある外側面に熱伝導的に密着され、内部熱交換器と同一傾斜面を有する多角形の楔形状を有し、その先細の下部は閉塞されその反対側の上部は熱電対支持体及び内部熱交換器を挿入配置させるために開口状にしてあり、耐蝕性金属により接合個所を設けず一体的に形成したものである。外部熱交換容器内に上記内部熱交換器及び上記熱電対支持体を配設した後は、蓋へ導線及び接合管を貫通させ、且つ該蓋を外部熱交換容器の上部に覆設して密封された構成である。
【０００５】
また、従来の技術に於ける他の別の例としては実公昭３９−３４０３１号公報に開示された温度調節装置の技術がある。
これについて説明すれば、ペルチェ効果を応用する熱電冷却素子の内側高温側と外部低温側にそれぞれ熱交換器を取着け、流入口から入れた冷却用空気または水等を高温側熱交換器を通過せしめ排出口に導くようにする。攪拌器及び電源接続端子を備え、この装置を温度調節を要する槽内に挿入し、槽内の気体または液体を低温側熱交換器を通るようにしたものである。
【特許文献１】実公昭４４−９０９８号公報
【特許文献２】実公昭３９−３４０３１号公報
【発明の開示】
【発明が解決しようとする課題】
【０００６】
従来の技術は、叙上した構成であるので次の課題が存在した。
すなわち、図６に示す従来の技術によれば、サーモモジュール１を備えた熱交換器４側と被冷却加熱対象物収容容器８を挿置した断熱材容器６とが隔離配置されており装置を設置するスペースが拡大すると共に比較的高価な断熱チューブ５ａ、５ｂを配備しなければならないうえに冷却又は加熱媒体が冷却又は加熱された気体又は液体であり温度伝達効率が低く、特に、上記断熱チューブ５ａ、５ｂと熱交換器４の出口４ａの連結部及び上記断熱チューブ５ａ、５ｂと断熱材容器６の連結部等で媒体流過損が発生し、液体等の冷却又は加熱媒体が循環流送される際、その都度該冷却又は加熱媒体を加温し、又は冷却する技術には適しないという問題点があった。加えて、熱交換器４や断熱材容器６に断熱チューブ５ａ、５ｂを接続するための穿孔作業が必要となり、さらに、血液等の液体を循環流送するための柔軟性チューブを上記熱交換器４等に係脱自在とした技術には適用できないという弊害があった。
【０００７】
また、従来の技術に於ける実公昭４４−９０９８号公報に開示された冷却加熱装置によれば、熱交換媒体、例えば水により外部熱交換容器の温度調節を図る装置であって、サーモモジュールとしてのペルチェ素子の一方面に固定された熱交換器に係脱自在に配置した柔軟性チューブ内を流送する血液等液体の温度調節を行なうことができないという問題点があった。
【０００８】
また、上記従来の技術に於ける実公昭３９−３４０３１号公報に開示された温度調節装置によれば、槽内の液体又は気体に熱電冷却素子を介装して直接に該液体又は気体自体の温度調節を図る技術であって、前述した実公昭４４−９０９８号公報に開示された技術と同様にサーモモジュールとしてのペルチェ素子の一方面に固定された熱交換器に係脱自在に配置した柔軟性チューブ内を流送する血液等液体の温度調節を行なうことができないという問題点があった。
【課題を解決するための手段】
【０００９】
本発明に係る液体温度調節機及び液体温度調節システムは叙上した従来の技術の問題点を解消すべく実用性の高いもので、簡単な構成、手段で血液、硫酸や硝酸等薬液などの治療や実験具に使用しながら連続的に液体温度を調節する装置やそのシステムを提供することを目的としたものであって、次の構成、手段から成立する。
【００１０】
請求項１記載の発明によれば、電圧を印加すると一方の素子面が冷却又は加熱し、かつ他方の素子面が逆作用するサーモモジュールと、該サーモモジュールの一方面に固定した略矩形体の熱交換器手段と、該サーモモジュールの他方面に固定した放熱器とを備えた構成に於いて、前記略矩形体の熱交換器手段が液体を流送する柔軟性チューブを曲折状に埋設・配備した本体部と該本体部上面に開閉自在に覆設した断熱部材でなる蓋部でなることを特徴とする液体温度調節機である。
【００１１】
請求項２記載の発明によれば、前記略矩形体の熱交換器手段に於いて、本体部の上面に断面Ｖ字状又は断面Ｕ字状の溝を形成し、該溝内に前記柔軟性チューブを係脱自在に埋設・配備したことを特徴とする請求項１記載の液体温度調節機である。
【００１２】
請求項３記載の発明によれば、前記柔軟性チューブが渦巻き状又は螺旋状に前記熱交換器手段の本体部の上面に配置したことを特徴とする請求項２記載の液体温度調節機である。
【００１３】
請求項４記載の発明によれば、電源と、該電源に接続されかつ前記請求項１記載の液体温度調節機を駆動するサーモモジュール駆動手段と、前記請求項１記載の液体温度調節機の柔軟性チューブ内を流送する液体の温度を検出する入力側及び出力側の温度検出手段と、前記請求項１記載の液体温度調節機の入力側に配備され流体を圧送するポンプ駆動手段と、該ポンプ駆動手段へ液体を流送・貯留する入力側タンク手段と、請求項１記載の液体温度調節機からの液体を貯留する出力側タンク手段と、前記サーモモジュール駆動手段、前記入力側及び出力側の温度検出手段及び前記ポンプ駆動手段を制御し電源に接続されたＣＰＵとを備えたことを特徴とする液体温度調節システムである。
【発明の効果】
【００１４】
本発明に係る液体温度調節機及び液体温度調節システムは、上述の構成を有するので次の効果がある。
すなわち、請求項１記載の発明によれば、電圧を印加すると一方の素子面が冷却又は加熱し、かつ他方の素子面が逆作用するサーモモジュールと、該サーモモジュールの一方面に固定した略矩形体の熱交換器手段と、該サーモモジュールの他方面に固定した放熱器とを備えた構成に於いて、前記略矩形体の熱交換器手段が液体を流送する柔軟性チューブを曲折状に埋設・配備した本体部と該本体部上面に開閉自在に覆設した断熱部材でなる蓋部でなることを特徴とする液体温度調節機を提供する。
このような構成としたので、人工透析器、血液循環器又は科学薬品実験器等各種の血液、硫酸液、硝酸液等液体の温度を調節する機器等広範囲に利用でき、しかも、当該液体を流送するチューブを使用済み後には該チューブを容易に取替えることができる液体温度調節機及び液体温度調節システムを提供できる効果がある。
【００１５】
請求項２記載の発明によれば、前記略矩形体の熱交換器手段に於いて、本体部の上面に断面Ｖ字状又は断面Ｕ字状の溝を形成し、該溝内に前記柔軟性チューブを係脱自在に埋設・配備したことを特徴とする請求項１記載の液体温度調節機を提供する。
このような構成としたので、当該液体温度調節機や当該液体温度調節システムの熱交換器手段に備えた柔軟性チューブを該熱交換器手段に着脱自在であって、容易に取外しかつ装着できるうえに、該熱交換器手段の上面に簡単な形状例えば、断面Ｖ字状又は断面Ｕ字状の溝を形成することにより、その目的を達成できる効果がある。
【００１６】
請求項３記載の発明によれば、前記柔軟性チューブが渦巻き状又は螺旋状に前記熱交換器手段の本体部の上面に配置したことを特徴とする請求項２記載の液体温度調節機を提供する。
このような構成としたので、柔軟性チューブを渦巻き状又は螺旋状に配置したので柔軟性チューブ内を流送する血液等の液体に於いて、該柔軟性チューブの中心部と該柔軟性チューブの内壁部とに流れる液体が衝当し又は混合し易くなり、該液体が保有する熱の伝達効率が良くかつ該液体の一部が該柔軟性チューブの内壁部に付着・固定することがなく、長寿命化が図れるという効果がある。
【００１７】
請求項４記載の発明によれば、電源と、該電源に接続されかつ前記請求項１記載の液体温度調節機を駆動するサーモモジュール駆動手段と、前記請求項１記載の液体温度調節機の柔軟性チューブ内を流送する液体の温度を検出する入力側及び出力側の温度検出手段と、前記請求項１記載の液体温度調節機の入力側に配備され流体を圧送するポンプ駆動手段と、該ポンプ駆動手段へ液体を流送・貯留する入力側タンク手段と、請求項１記載の液体温度調節機からの液体を貯留する出力側タンク手段と、前記サーモモジュール駆動手段、前記入力側及び出力側の温度検出手段及び前記ポンプ駆動手段を制御し電源に接続されたＣＰＵとを備えたことを特徴とする液体温度調節システムを提供する。
このような構成としたので、柔軟性チューブ内に流送する血液等の液体温度を自動的に調整することができるシステムを提供できる効果がある。
【発明を実施するための最良の形態】
【００１８】
以下、本発明に係る液体温度調節機Ａの実施の形態について添付図面に基づき詳細に説明する。
【００１９】
図１は、本発明に係る液体温度調節機Ａの実施の形態を示す側面図であって、熱交換器手段の蓋部を開放した状態を示す図である。また、図２は本発明に係る液体温度調節機Ａに備えた熱交換器手段の斜視図である。
１０は、後述する例えばＣＰＵ（制御ユニット）からの指定信号に基づき、サーモモジュール駆動手段の動作により電圧を印加すると、一方の素子面１０ａが冷却し又は加熱し、他方の素子面１０ｂがその逆作用をするサーモモジュールであって、ペルチェ効果を備えた熱電素子モジュール、いわゆるペルチェ素子モジュール、各種の熱電素子等で構成される。このサーモモジュール１０の一方の素子面１０ａは放熱フィン１３ａを形成した放熱器１３を固定している。また、該サーモモジュール１０の他方の素子面１０ｂは、熱交換器手段１５を隣接固定している。１３ｂは前記放熱器１３の放熱フィン１３ａを強制空冷するためのファンであり、別置したモータで回転駆動される。
【００２０】
ここで、上記サーモモジュール１０は、熱電半導体で構成され、例えば１ｍｍ角程度の直方体状チップに加工し、これを平面の上に多数マトリクス状に配列する。このとき、隣り合ったチップは異種半導体を置き、ｎ（またはｐ）型チップの隣にはｐ（またはｎ）型チップを配置する。このようにして隣同士のチップを電気的に直列し接続し、電流を流すと、ｎ型チップ内の電子もｐ型チップ内の正孔も等しく左から右へと移動する。このとき、両キャリア共に熱を左から右へと運び、冷却容器を冷やし、チップを乗せる平面の板は、可能に限り熱伝導性の良いものが必要である。また、右側の放熱部は速やかに熱を放出するるような構造とする。また、ペルチェ効果を利用したサーモモジュール１０は一対のｐ型とｎ型のＢｉ  Ｔｅ系熱電素子（ｐｎ対）が基本要素となっており、サーモモジュール１０の吸熱能力はその中に含まれるｐｎ対の数に比例する。このようなサーモモジュール１０の構造は、ｐｎ対に直流電流を流すとき、ペルチェ効果により一方より吸熱し、他方に放熱する。さらに、サーモモジュール１０は、電流の反転によって温度を精密に制御でき、装置を小形にすることができるという利点がある反面、外部循環からの熱侵入があるので、これを考慮しコストが適切になるように、使用するサーモモジュール１０の温度調整能力と温度設定目標性能とをバランスさせねばならない。
【００２１】
次に、前記熱交換器手段１５について説明する。該熱交換器手段１５は、例えば、全体が略矩形体の形状を有するものであって、前記サーモモジュール１０の他方の素子面１０ｂに隣接して固定されかつ機能部品を内蔵（図示せず）した本体部１５Ａと、該本体部１５Ａの上面に図２に示すように例えば、２つの蝶番１６、１６等で閉止・開放自在に軸着した蓋部１５Ｂとでなる。該熱交換器手段１５は、アルミニューム（Ａｌ）、胴（Ｃｕ）等で成形した金属容器であって、熱伝導容器の一部を構成している。上記本体部１５Ａの上面１５ｄには断面Ｕ字状溝１５ａが蛇行して形成されてあり、前述したビニール材質や適宜の化学素材等で成形された管状の柔軟性チューブ１７を断面Ｕ字状溝１５ａ内に押込みかつ収納している。尚、該断面Ｕ字状溝１５ａは断面Ｖ字状溝であっても差支えない。そして、該本体部１５Ａの前面１５ｂ及び後面１５ｃから該柔軟性チューブ１７をそれぞれ引出している。この柔軟性チューブ１７は、当該液体温度調節機Ａの入力側及び出力側に延在している。
【００２２】
また、前記熱交換器手段１５の本体部１５Ａの上面１５ｄにはねじ孔１５ｅが形成してあり、このねじ孔１５ｅは上記蓋部１５Ｂを本体部１５Ａに閉止したとき、この蓋部１５Ｂに固定孔１５ｆを介して備えた固定ねじ１８のねじ部１８ａがねじ込まれ固定される。前記熱交換器手段１５の蓋部１５Ｂは前記本体部１５Ａと略同一形状であり、例えば、略矩形状で成形され、その全体又は上面部を断熱部材で構成される。
また、前記蝶番１６、１６は図２に示すように軸芯部の軸孔に軸ピン１６ａ、１６ａ貫入して装着し、各々の左右片１６ｂ、１６ｂは固定ビス１６ｃ、１６ｃでもって、前記本体部１５Ａと蓋部１５Ｂを連結している。そして、前記柔軟性チューブ１７は図２に示すように熱交換器手段１５の本体部１５Ａの上面１５ｄに成形した蛇行状の断面Ｕ字状溝１５ａ又は断面Ｖ字状溝に着脱自在に係入され、該本体部１５Ａに配備されている。
かくして、前記液体温度調節機Ａは、電圧を印加すると一方の素子面１０ａが冷却又は加熱し、かつ他方の素子面１０ｂが逆作用するサーモモジュール１０と、該サーモモジュール１０の一方面１０ｂに固定した略矩形体の熱交換器手段１５と、該サーモモジュール１０の他方面１０ｂに固定した放熱器１３とを備えた構成に於いて、前記略矩形体の熱交換器手段１５が液体１４を流送する柔軟性チューブ１７を曲折状に埋設・配備した本体部１５Ａと該本体部１５Ａの上面に開閉自在に覆設した断熱部材でなる蓋部１５Ｂで構成される。尚、図１に於いて、１１は前記サーモモジュール１０の端子に印加される電圧源であり、リード線１２、１２を介して所定の直流電圧を印加する。
【００２３】
次に、本発明に係る液体温度調節機Ａの実施の形態に基づき、その動作等を説明する。
【００２４】
当該液体温度調節機Ａを使用するに際し、上記柔軟性チューブ１７内の一方側から他方側に血液や硫酸液等の液体１４をポンプ手段等により流送する。具体的には、例えば、当該液体温度調節機Ａが医療機械としての人工透析器に適用する場合に於いては、人体を通過し外部に出された血液１４は、所定温度から上昇した温度を有し、これを上記柔軟性チューブ１７内の一方側から他方側に流送する。ここに於いて、後述するＣＰＵ（制御ユニット）を動作し、電圧源１１によりサーモモジュール１０の両端にリード線１２、１２を経由して所定電圧が印加される。
【００２５】
そして、サーモモジュール１０は、一方の素子面１０ａは加熱され、放熱器１３の放熱フィン１３ａにより熱放出を行なう。このとき、ファン１３ｂにより該放熱フィン１３ａを強制空冷する。他方の素子面１０ｂは冷却作用を行ない、熱交換器手段１５の本体部１５Ａが動作し、該本体部１５Ａの上面１５ｄに配置した柔軟性チューブ１７の外表面を冷却し、この柔軟性チューブ１７内に流送する血液１４を所定温度まで冷却する。このとき血液の温度は上記サーモモジュール１０の温度設定仕様に基づき、人体の透析医療に好適な温度に設定される。
而して、人工透析のための最適な温度となった血液１４は再び人体へ送り込まれる。かくして、人工透析等医療行為を完了する。本発明は、血液以外のほかの遺伝子組換えＤＮＡ実験試料、薬液、調整剤等の各種の液体１４の温度調節機械にも利用することができる。
【実施例１】
【００２６】
次に、本発明に係る液体温度調節機Ａの実施例１、とりわけ、該液体温度調節機Ａの熱交換器手段１５に於ける本体部１５Ａに備えた柔軟性チューブ１７について図３に基づき説明する。
【００２７】
図３は、熱交換器手段１５の本体部１５Ａと蓋部１５Ｂを開放した平面図である。
当該柔軟性チューブ１７は、該熱交換器手段１５の本体部１５Ａの上面１５ｄに配設してある。この本体部１５Ａの上面１５ｄには断面Ｕ字状溝１５ａが該本体部１５Ａの前面１５ｂの上端から後面１５ｃの上端まで図３に示すように平面から見て渦巻き状に穿孔されている。この渦巻き状の断面Ｕ字状等の溝１５ａ内に上記柔軟性チューブ１７を押込みかつ収納している。尚、この柔軟性チューブ１７の押込み・収納部分に於ける断面Ｕ字状溝１５ａの部分は省略している。また、断面Ｕ字状溝１５ａに代えて断面Ｖ字状溝にしてもよい。而して、柔軟性チューブ１７が渦巻き状に断面Ｖ字状又は断面Ｕ字状溝に押込みかつ収納されるので、該柔軟性チューブ１７は全体として図３に示すように該本体部１５Ａの前面１５ｂから後面１５ｃまで渦巻き状に配置されることになる。
【００２８】
ここで、図４は柔軟性チューブ１７の断面図を示すものであって、（ａ）は該柔軟性チューブ１７の直線部分を示す断面図、（ｂ）は該柔軟性チューブ１７の折曲部分又は曲線部分を示す断面図である。上述したように、柔軟性チューブ１７が渦巻き状に形成しかつ配置することは該柔軟性チューブ１７の全体に於いて、図４（ｂ）の断面図に示すような部分が多いことを意味する。そして、図４（ｂ）に示す柔軟性チューブ１７内の血液等の液体に於いて、その中心部と内壁部に流れる血液等の液体１４が混合し又は衝当しつつ、該液体１４が保有する熱伝導効率を良好としたうえで該液体の一部が柔軟性チューブ１７の内壁部に付着・固定することがないという利点を生じた。
尚、上記は柔軟性チューブ１７が渦巻き状に配備した例であるが、本発明はこれに限定せず、螺旋状の断面Ｕ字状溝１５ａを本体部１５Ａの上面に形成すると共に該柔軟性チューブ１７をこれに押込み・収納することにより全体を螺旋状に構成しても前記渦巻き状の柔軟性チューブ１７と同様の作用、効果が得られた。
【実施例２】
【００２９】
次に、本発明の実施例２としての液体温度調節システムに関し、図４に基づいてその構成
や動作等を説明する。
【００３０】
図５は、上述した液体温度調節機Ａを使用したシステムを示している。
２０は、本システムを稼動するためのシステムの電源であって具体的には直流電源である。２１は、該電源２０に接続されてなり例えば、マイコンで構成され本システムの各部位に指令信号を供給し必要に応じて各情報を記憶・演算するＣＰＵ（制御ユニット）である。２２は、ポンプ駆動手段であって、上記電源２０及びＣＰＵ２１に接続されかつポンプ駆動指令部２２Ａとポンプ駆動部２２Ｂで構成されている。該ポンプ駆動部２２Ｂは、貯留された血液等液体１４を入力側タンク手段２３から柔軟性チューブ１７で搬送された後、これを該柔軟性チューブ１７により次段の液体温度調節機Ａに流送する構成である。
【００３１】
上記ポンプ駆動手段２２のポンプ駆動部２２Ｂは、本体部２２ａと、該本体部２２ａに装着されたチューブ押圧回転体２２ｂと、上記入力側タンク手段２３から引廻された柔軟性チューブ１７とを備えている。このチューブ押圧回転体２２ｂは中心に回転可能な軸部２２ｃと、両端に回転可動自在の押圧ローラ２２ｄ、２２ｄとを備えている。この押圧ローラ２２ｄ、２２ｄは上記ポンプ駆動指令部２２Ａから指令信号を受けてチューブ押圧回転機２２ｂを動作する。そして、図示するように軸部２２ｃを回転制御しながら、該柔軟性チューブ１７の内側の外表面１７ａを押圧し該外表面１７ａを押圧・変形する。これにより、該柔軟性チューブ１７内に流送する血液等液体１４を次段の液体温度調節機Ａへ急速に圧送する。
【００３２】
また、２４は入力側温度検出手段であって、柔軟性チューブ１７の入力側部分に備えた温度センサー２４ａから温度情報を取り込み、温度検出を行なう。２５は、出力側温度検出手段であって、柔軟性チューブ１７の出力側部分に備えた温度センサー２５ａから温度情報を取り込み、温度検出を行なう。２６は、サーモモジュール駆動手段であって、サーモモジュール１０に接続され、上述した図１に示す電圧源１１の機能を有する。そして、上記液体温度調節機Ａから柔軟性チューブ１７により取出された血液等液体は出力側タンク手段２７に貯留される。
尚、本システムに於いてほかの構成については図１に示すものと略同一であり、その説明を省略する。
【００３３】
このように上記電源２０にＣＰＵ２１、ポンプ駆動手段２２、ポンプ駆動指令部２２Ａ、入力側温度検出手段２４、サーモモジュール駆動手段２６及び出力側温度検出手段２５を制御線１９により接続し、本システムに於いて柔軟性チューブ１７内及び貯留された血液等液体の温度を自動的に調節することができる。
特に、本システムは、医療システムとしての人工透析システムや工場に於ける薬液の温度調節システム等各分野に広範囲に利用できることを特徴とする。
【図面の簡単な説明】
【００３４】
【図１】本発明に係る液体温度調節機Ａの実施の形態を示す側面図であって、熱交換器手段の蓋部を開放した状態を示す図である。
【図２】本発明に係る液体温度調節機Ａに備えた熱交換器手段の斜視図である。
【図３】本発明に係る熱交換器手段の本体部と蓋部を開放した平面図である。
【図４】本発明に係る柔軟性チューブの断面図を示すものであって、（ａ）は該柔軟性チューブの直線部分を示す断面図、（ｂ）は該柔軟性チューブの折曲部分又は曲線部分を示す断面図である。
【図５】本発明に係る液体温度調節システムの実施例を示すシステム図である。
【図６】従来の技術に於ける被冷却加熱対象物の温度調節装置を示すシステム図である。
【符号の説明】
【００３５】
１０    サーモモジュール
１０ａ  サーモモジュールの一方の素子面
１０ｂ  サーモモジュールの他方の素子面
１１    サーモモジュールの電圧源
１２    サーモモジュールのリード線
１３    放熱器
１３ａ  放熱器の放熱フィン
１３ｂ  放熱器のファン
１４    液体（血液）
１５    熱交換器手段
１５Ａ  熱交換器手段の本体部
１５Ｂ  熱交換器手段の蓋部
１５ａ  断面Ｕ字状溝（断面Ｖ字状溝）
１５ｂ  熱交換器手段の前面
１５ｃ  熱交換器手段の後面
１５ｄ  熱交換器手段の本体部の上面
１５ｅ  熱交換器手段の本体部のねじ孔
１５ｆ  熱交換器手段の蓋部の固定孔
１６    蝶番
１６ａ  蝶番の軸ピン
１６ｂ  蝶番の左右片
１６ｃ  蝶番の固定ビス
１７    柔軟性チューブ
１８    固定ねじ
１８ａ  固定ねじのねじ部
１９    制御線
２０    システムの電源
２１    ＣＰＵ（制御ユニット）
２２    ポンプ駆動手段
２２Ａ  ポンプ駆動手段のポンプ駆動指令部
２２Ｂ  ポンプ駆動手段の駆動部
２２ａ  ポンプ駆動手段の駆動部の本体部
２２ｂ  ポンプ駆動手段の駆動部のチューブ押圧回転体
２２ｃ  ポンプ駆動手段のチューブ押圧回転体の軸部
２２ｄ  ポンプ駆動手段のチューブ押圧回転体の押圧ローラ
２３    入力側タンク手段
２４    入力側温度検出手段
２４ａ  入力側温度検出手段の温度センサー
２５    出力側温度検出手段
２５ａ  出力側温度検出手段の温度センサー
２６    サーモモジュール駆動手段
２７    出力側タンク手段
Ａ      液体温度調節機
【図１】
2007151696.tif 000003
【図２】
2007151696.tif 000004
【図３】
2007151696.tif 000005
【図４】
2007151696.tif 000006
【図５】
2007151696.tif 000007
【図６】
2007151696.tif 000008